(57)【要約】【課題】管体と管継手の間に、高吸水性樹脂を含む止水シートを介在させ、高吸水性樹脂が水を吸収して膨張することで止水性能を発揮する管体の接続構造において、高吸水性樹脂が膨張した後に高い水圧がかかっても膨張した高吸水性樹脂が崩れて流れ出ないようにする。【解決手段】化学繊維又は無機繊維よりなる基布に、高吸水性樹脂及び水硬化性樹脂を含浸又は付着させた止水シート４を用いる。この止水シート４を、管継手１の内周面と当該管継手に挿入された管体２、３の外周面との間に介在させる。水硬化性樹脂が空気中の水分によって固まり、止水シート４が管継手１と管体２、３の間に固定される。【選択図】図１
2007295729.tif 000002
【特許請求の範囲】
【請求項１】
化学繊維又は無機繊維よりなる基布に、高吸水性樹脂及び水硬化性樹脂を含浸又は付着させたことを特徴とする止水シート。
【請求項２】
管継手の内周面と当該管継手に挿入された管体の外周面との間に請求項１記載の止水シートを介在させたことを特徴とする管体の接続構造。
【請求項３】
管体の端部に請求項１記載の止水シートを巻き付けた後、当該止水シートを巻き付けた管体の端部を管継手に挿入することを特徴とする管体の接続方法。
【請求項４】
管体が挿入される区間の内周面に請求項１記載の止水シートを取り付けた管継手に、管体の端部を挿入することを特徴とする管体の接続方法。
【請求項５】
管体が挿入される区間の内周面に請求項１記載の止水シートを取り付けたことを特徴とする管継手。
【発明の詳細な説明】
【技術分野】
【０００１】
本発明は、地中埋設電線管や暗渠排水管などの管体の接続に用いる止水シートと、それを用いた管体の接続構造、接続方法及び管継手に関するものである。
【背景技術】
【０００２】
地中埋設電線管や暗渠排水管などの管体の接続に用いる管継手として、管体が挿入される区間の内周面に、不織布に高吸水性樹脂を含浸させた止水シートを取り付けた管継手が公知である（特許文献１参照）。この管継手に管体の端部を挿入して管体を接続すると、前記高吸水性樹脂が管継手の端部から浸入してくる雨水や地下水を吸収して膨張し、管継手と管体の間の隙間を埋めるので、管継手や管体の内部に水が浸入するのを防止できる。
【０００３】
【特許文献１】特許第３４８２４３１号公報
【発明の開示】
【発明が解決しようとする課題】
【０００４】
しかし、上記のような管継手を用いて管体を接続した場合、水を吸収して膨張した高吸水性樹脂は非常にもろく、軟らかいため、高い水圧がかかると崩れて流れ出てしまうという問題のあることが判明した。
【０００５】
また、高吸水性樹脂自体には接着機能がないため、鋼管や塩化ビニル樹脂管などの平滑管を接続するためには、別途、止水シートを固定する手段を管継手に設けなければならないという問題もあった。
【０００６】
本発明の目的は、高吸水性樹脂が水を吸収して膨張した後に、水圧がかかっても、膨張した高吸水性樹脂が崩れにくい止水シートと、それを用いた管体の接続構造、接続方法及び管継手を提供することにある。
【課題を解決するための手段】
【０００７】
本発明に係る止水シートは、化学繊維又は無機繊維よりなる基布に、高吸水性樹脂及び水硬化性樹脂を含浸又は付着させたことを特徴とするものである。
【０００８】
また、本発明に係る管体の接続構造は、管継手の内周面と当該管継手に挿入された管体の外周面との間に上記の止水シートを介在させたことを特徴とするものである。
【０００９】
また、本発明に係る管体の接続方法は、管体の端部に上記の止水シートを巻き付けた後、当該止水シートを巻き付けた管体の端部を管継手に挿入することを特徴とするものである。
【００１０】
また、本発明に係る管体の接続方法は、管体が挿入される区間の内周面に上記の止水シートを取り付けた管継手に、管体の端部を挿入することを特徴とするものであってもよい。
【００１１】
また、本発明に係る管継手は、管体が挿入される区間の内周面に上記の止水シートを取り付けたことを特徴とするものである。
【発明の効果】
【００１２】
本発明に係る止水シートには、高吸水性樹脂の他に水硬化性樹脂を含浸又は付着させてあるため、この止水シートを管継手と管体の間に介在させると、水硬化性樹脂が空気中の水分によって硬化し、止水シートが管継手と管体の間に固定される。このため、高吸水性樹脂が水を吸収して膨張した後に、水圧がかかっても、膨張した高吸水性樹脂が流れ出るのを抑制することができ、止水性能を確保することができる。
【００１３】
また、平滑管を接続する場合でも、管継手に止水シートを固定する手段を設けずに済むので、管継手の構造を簡素化することも可能である。
【発明を実施するための最良の形態】
【００１４】
図１は本発明の一実施形態を示す。この実施形態は、管継手１によって、鋼管（平滑管）２とプラスチック波付き管３を接続する場合であるが、接続する管体の種類はこれに限られるものではない。管継手１の一端側には鋼管２が挿入され、他端側には波付き管３が挿入されている。鋼管２の端部外周面と管継手１の内周面との間、及び波付き管３の端部外周面と管継手１の内周面との間には、止水シート４を介在させてある。
【００１５】
この止水シート４は、たとえばガラス繊維、ポリエステル繊維、ポリプロピレン繊維等の化学繊維又は無機繊維よりなる基布に、高吸水性樹脂を粉末または繊維状にして、基布中に分散させて付着させるか、または水硬化性樹脂を基布中に含浸させて付着させたものである。基布としては、ポリエステル繊維、ポリプロピレン繊維等の化学繊維で構成された不織布又は織布、ガラス繊維等の無機繊維で構成された織布を使用することができる。
【００１６】
高吸水性樹脂は水等の液体を飽和吸水能として常温常圧下で自重の１〜１０００倍程度の飽和吸水能を有する高分子である。これらの液体を吸収するためには、これらの液体と親和性の高い官能基を高分子鎖に有する必要がある。これらの官能基は（部分）中和カルボン酸、カルボン酸、（部分）中和スルホン酸、スルホン酸、ヒドロキシが用いられる。この中で、部分中和カルボン酸が好ましい。このような高分子鎖中に部分中和カルボン酸を与えるモノマーとしては不飽和カルボン酸が好ましく、特に不飽和カルボン酸としてはアクリル酸が好ましく、アクリル酸ナトリウム樹脂などを使用することができる。
【００１７】
この高分子の分子構造は直鎖状でも差し支えないが、所望の液体を吸収し膨潤した後も形状を維持する必要がある。そのために、通常高分子鎖が溶解しないように高分子鎖同士の架橋構造を有する重合物架橋体が好ましい。この架橋は共有結合或いはイオン結合等の化学架橋ないしは高分子鎖の絡み合いによる物理架橋が用いられる。化学的安定性の面から、化学架橋が好ましく、中でも共有結合がより好ましい。
【００１８】
従って、高吸水性樹脂の好ましい態様としては不飽和カルボン酸重合物架橋体であり、より好ましくはアクリル酸重合物架橋体である。このアクリル酸重合物架橋体は、アルミニウム、マグネシウム、カルシウム、ナトリウム、カリウム等のアルカリ金属塩であることが望ましい。
【００１９】
水硬化性樹脂は、水や湿気に反応することで硬化する特性を有する樹脂で、本発明に適用する水硬化性樹脂には、末端イソシアネート基を有するポリウレタン樹脂プレポリマーを主成分とする水硬化性樹脂組成物が最も望ましい。この水硬化性樹脂組成物は、ポリオールとポリイソシアネートの反応により得られるものであり、これに水や湿気を与えるとさらに反応が起こり、ウレタン結合を生じ、ポリウレタンとなって硬化することからポリウレタン系樹脂を用いることができる。
【００２０】
ここで、適用可能なポリオールとしては、ポリエチレングリコール、ポリプロピレングリコール、エチレングリコールとプロピレングリコールの共重合体、ポリグリセリン等の低分子量ポリオール類があり、その他にも、ポリエーテルポリオール類、ポリエステルポリオール類、ポリテトラメチレングリコール類、端末にヒドロキシル基を有するポリエンポリオール等が挙げられる。
【００２１】
適用可能なポリイソシアネートには、有機ポリイソシアネートである、例えば、ジフェニルメタンジイソシアネート、トルエンジイソシアネート、１，５−ナフタレンジイソシアネート、トリジンジイソシアネート、ヘキサメチレンジイソシアネート、イソホロンジイソシアネート、ｐ−フェニレンジイソシアネート、トランスシクロヘキサン１，４−ジイソシアネート、キシレンジイソシアネート、水添キシレンジイソシアネート、水添ジフェニルメタンジイソシアネート、リジンジイソシアネート、トリフェニルメタントリイソシアネート、トリスチオホスフェート、テトラメチルキシレンジイソシアネート、リジンエステルトリイソシアネート、１，６，１１−ウンデカントリイソシアネート、１，８−ジイソシアネート−４−イソシアネートメチルオクタン、１，３，６−ヘキサメチレントリイソシアネート、ビジクロヘプタントリイソシアネート、トリメチルヘキサメチレンジイソシアネート、ポリメチレンポリフェニレンポリイソシアネート、３−イソシアネートメチル３，５，５−トリメチルシクロヘキシルイソシアネート等がある。
【００２２】
なお、本発明で使用する水硬化性樹脂は、上記以外の水硬化性樹脂であってもよい。また、使用する水硬化性樹脂には、保管時の安定性、硬化時間、硬化時の脱泡促進等を考慮し、安定剤、触媒、酸化防止剤、揺変性付与剤等を適宜混合してもよい。
【００２３】
止水シート４を、鋼管２の外周面と管継手１の内周面との間、及び波付き管３の外周面と管継手１の内周面との間に介在させるには、鋼管２及び波付き管３の端部にそれぞれ止水シート４を巻き付けた後、鋼管２及び波付き管３の端部を止水シート４と共に管継手１に挿入すればよい。また、管体が挿入される区間の内周面に予め止水シート４を取り付けた管継手１を用い、この管継手１に、鋼管２及び波付き管３を挿入することによっても、鋼管２の外周面と管継手１の内周面との間、及び波付き管３の外周面と管継手１の内周面との間に止水シート４を介在させることができる。止水シート４の厚さは、管継手１の内径と鋼管２の外径との差、管継手１の内径と波付き管３の外径との差を考慮して定めればよい。
【００２４】
上記のようにして、管継手１と鋼管２の間及び管継手１と波付き管３の間に止水シート４を介在させると、止水シート４に保持されている水硬化性樹脂が空気中の水分によって３０分ほどで硬化し、止水シート４が管継手１と鋼管２の間、管継手１と波付き管３の間に固定される。このため、止水シート４に保持されている高吸水性樹脂が水を吸収して膨張した後に、水圧がかかっても、膨張した高吸水性樹脂が水圧によって流れ出るのを抑制することができ、止水性能を確保することができる。
【００２５】
また、平滑管を接続する場合でも、管継手１に止水シート４を固定する手段を設けずに済むので、管継手の構造を簡素化することも可能である。
【図面の簡単な説明】
【００２６】
【図１】本発明に係る止水シートを用いた管体の接続構造の一実施形態を示す半分切開側面図。
【符号の説明】
【００２７】
１：管継手
２：鋼管
３：プラスチック波付き管
４：止水シート
【図１】
2007295729.tif 000003